(57)【要約】【課題】  センサーなどにより画像未印刷領域を検知することなく、追記可能なデータ記録メディアの最適な位置にインデックス画像を追加印刷出来る印刷システムを提供する。【解決手段】  対象であるデータ記録メディアの全記録容量と、記録済のデータ容量と、新たに追加記録する画像データのデータ容量に応じて、記録メディアに対して印刷するインデックス画像の数とその印刷位置を決定する。それによって既に印刷されているインデックス印刷と重複しない位置にインデックス印刷を行う。【選択図】  図８
2009113211.tif 000002
【特許請求の範囲】
【請求項１】
データの追加記録が可能であり、表面に画像や記号または文字を印刷可能なデータ記録媒体に対してデータの記録および読み出しを行うデータ記録媒体データアクセス手段と、前記データ記録媒体の表面に、画像や記号または文字を印刷可能なデータ記録媒体印刷手段と、
少なくとも１つ以上の画像データの保持が可能な画像データ保持手段から、画像データを読み出す画像データ読み出し手段と、
前記画像データ保持手段に保持されている１つ以上の画像データの中から、前記データ記録媒体に記録する１つ以上の記録画像データを選択可能な記録画像選択手段と、
前記記録画像選択手段により選択された前記記録画像データを、前記データ記録媒体データアクセス手段により、前記データ記録媒体に対して記録させる選択画像記録手段と、
前記記録画像選択手段により選択された１つ以上の画像データの中から、代表画像データ数Ｎ（Ｎはゼロ以上）の代表画像データを選出する代表画像データ選出手段と、
前記各代表画像データに対する代表画像印刷データを作成する代表画像印刷データ作成手段と、
前記代表画像印刷データ作成手段により作成された各代表画像印刷データを、前記データ記録媒体に対してどの位置に印刷するかを示す代表画像印刷データ印刷位置群を決定する代表画像印刷データ位置決定手段と、
前記代表画像印刷データ位置決定手段が決めた各代表画像印刷データ印刷位置群の値に応じて、前記代表画像印刷データ群を、前記データ記録媒体印刷手段により前記データ記録媒体に印刷する代表画像印刷手段を有する印刷システムにおいて、
前記データ記録媒体に記録可能な最大データ記録量Ａと、前記記録画像選択手段により選択された前記記録画像データを前記選択画像記録手段により前記データ記録媒体に記録する前に既に前記データ記録媒体に記録されていたデータの総データ量Ｂと、前記記録画像選択手段により選択された画像データの総データ量Ｃの値を検出する手段を有し、前記３つの値に応じて前記代表画像データ選出手段が前記代表画像データ数Ｎの値を決定し、前記代表画像印刷データ位置決定手段が前記データ記録媒体印刷位置を決定することを特徴とする印刷システム。
【請求項２】
請求項１に記載の印刷システムにおいて、前記データ記録媒体に対して、最大でいくつの代表画像を印刷可能が可能であるかを示す最大代表画像印刷数Ｍ（Ｍは１以上）を決定する最大代表画像印刷数決定手段を有し、
前記データ記録媒体に記録可能な最大データ記録量Ａと、前記記録画像選択手段により選択された前記記録画像データを前記選択画像記録手段により前記データ記録媒体に記録する前に既に前記データ記録媒体に記録されていたデータの総データ量Ｂと、前記記録画像選択手段により選択された画像データの総データ量Ｃと、前記最大代表画像印刷数Ｍの値に応じて、前記代表画像データ選出手段が前記代表画像データ数Ｎの値を決定し、前記代表画像印刷データ位置決定手段が前記データ記録媒体印刷位置を決定することを特徴とする印刷システム。
【請求項３】
請求項１、又は請求項２に記載の前記データ記録媒体が、ディスク形状のデータ記録媒体であることを特徴とする印刷システム。
【請求項４】
請求項１〜請求項３のいずれかに記載の前記データ記録媒体が、CD-Rまたは、CD-RWまたは、DVDであることを特徴とする印刷システム。
【請求項５】
請求項１〜請求項４のいずれかに記載の前記データ記録媒体印刷手段が、インクジェット方式であることを特徴とする印刷システム。
【請求項６】
請求項１〜請求項５のいずれかに記載の前記画像データ保持手段が、脱着可能なメモリカードであることを特徴とする印刷システム。
【発明の詳細な説明】
【技術分野】
【０００１】
本発明は、メモリカードなどから読み出した画像データを、データ記録メディアに記録する機能と、記録した画像データに関する情報をデータ記録メディアの表面に印刷する機能を有する印刷システムに関するものである。
【背景技術】
【０００２】
CD-R、DVDなど、画像データを追加記録できるデータ記録メディアに対し、記録した画像データのインデックス画像をその表面に印刷することで、記録した画像データの内容を明示する方法が提案されている。
【０００３】
しかし、インデックス画像を一度印刷したデータ記録メディアに、新たな画像データを追加記録し、追加した画像データのインデックス印刷を追加印刷しようとする場合には、すでに印刷している印刷部分と重複しない位置に印刷を行う制御が必要である。
【０００４】
これを解決する提案として、追記可能なデータ記録メディアの表面をスキャンして、印刷されていない領域を装置が検出し、空いている位置に印刷を行う手法が提示されている（特開２００５−１４３５８号公報）。
【０００５】
また、過去の印刷履歴をメディア毎に保持しておき、それによって以前印刷した位置を避けて印刷を行う提案もなされている。（特開２００５−２８８８５９号公報）。
【特許文献１】特開２００５−１４３５８号公報
【特許文献２】特開２００５−２８８８５９号公報
【発明の開示】
【発明が解決しようとする課題】
【０００６】
しかし、前記特開２００５−１４３５８号公報では、追記可能なデータ記録メディアの印刷面の未印刷領域を検出する手段（光学センサなど）や、それを駆動させるための駆動機構が必要であり、その部のコストがかかる。
【０００７】
同様に、前記特開２００５−２８８８５９号公報では、メディア毎の印刷履歴をすべて管理するためのデータ記録装置やその制御装置が必要であり、同様に装置のコストアップを生じさせてしまう。
【課題を解決するための手段】
【０００８】
本発明では、追記可能なデータ記録メディアに対し、画像データを記録するデータ記録機能と、前記記録した画像データの内容を示すインデックス画像を前記データ記録メディアの表面に印刷するインデックス印刷機能を有する印刷システムであり、データが記録されているデータ記録メディアに新たな画像データを追加記録し、追加記録した画像データに対するインデックス印刷を前記記録メディアの表面に追加印刷する際に、以下の処理を行うことを特徴とする。
【０００９】
対象であるデータ記録メディアの全記録容量と、記録済のデータ容量と、新たに追加記録する画像データのデータ容量に応じて、記録メディアに対して印刷するインデックス画像の数とその印刷位置を決定する。それによって既に印刷されているインデックス印刷と重複しない位置にインデックス印刷を行う手段を有する。
【発明の効果】
【００１０】
本発明では、記録メディアの全容量と、既に記録されているデータ量と、新たに記録したデータ量に応じ、すでに印刷されているインデックス印刷位置に重ならないように、インデックス画像の数と位置を自動的に定める。
【００１１】
よって、従来例の様に、センサーなどによりデータ記録メディア上の未印刷領域を検出する必要がない。また記録メディア毎に印刷履歴を保持する必要もない。よって従来例のような装置のコストアップを必要としない。
【００１２】
また、ユーザに記録メディア上のどの位置にインデックス印刷を行うかを、指示させるような面倒な操作を行わせることがなく、記録メディアの良好な位置に自動的にインデックス画像を追加印刷することが可能である。
【発明を実施するための最良の形態】
【００１３】
以下、添付図面を参照して本発明の好適な実施の形態を詳細に説明する。
【実施例１】
【００１４】
図１は本発明の実施例である印刷装置の外形図を示しており、図２は本印刷装置の機能ブロック図を示している。以下に、図１、図２にそって本印刷装置の概略を説明する。
【００１５】
図１において、１０００は印刷装置本体、１００１は押しボタンを有し印刷装置の制御をユーザに行わせる操作パネル、１００２は液晶モニターを示す。１００３は印刷を行う用紙を挿入するための給紙トレー、１００４は印刷を行う用紙、１００５は印刷後の用紙を排出する排紙トレー、１００６はＣＤ−Ｒ１００９にデータの記録および読み出しする際に、ＣＤ−Ｒ１００９をセットするＣＤ−Ｒ記録トレーを示す。１００７はＣＤ−Ｒの表面に印刷を行う際にＣＤ−Ｒ１００９をセットするＣＤ−Ｒ印刷トレー、１００８はＳＤカードやメモリスティックなどのメモリカード（不図示）を挿入し、そのデータの読み出しを行う為のメモリカードコネクタをそれぞれ示している。
【００１６】
本実施例では追記可能なデータ記録メディアとしてＣＤ−Ｒと記述しているが、実際にはＣＤ−Ｒに追記可能なデータ記録メディアを特定するものではなく、データ追記が可能なデータ記録メディアを代表して表記している。
【００１７】
図２において、２０００は印刷装置本体、２００１は印刷装置全体を制御する制御部を示す。２００２は操作パネル１００１と液晶表モニター１００２を有し、液晶表モニターによってユーザに装置の状態を通知したり、逆に操作パネルによりユーザからの指示を受けとる操作部を示す。２００３は給紙トレー１００３にセットした用紙またはＣＤ−Ｒ印刷トレイ１００９にセットしたＣＤ−Ｒに印刷を行う用紙／ＣＤＲ印刷部を示す。２００４は、ＣＤ−Ｒデータ記録トレイ１００６にセットしたＣＤ−Ｒに記録されているデータを読み出したり、データを記録したりの制御を行うＣＤＲデータ記録部を示す。また２００５はメモリーカードコネクタ１００８に接続したメモリカードから、データの読み出すメモリーカードアクセス部をそれぞれ示している。
【００１８】
本印刷装置では、メモリカードコネクタ１００８に挿入したメモリカードに記録されている画像データをメモリカードアクセス部２００５で読み出し、用紙／ＣＤ−Ｒ印刷部２００３により、用紙またはＣＤ−Ｒに対して画像を印刷することが可能である。
【００１９】
用紙１００４に対して印刷を行う場合には、給紙トレー１００３に用紙１００４をセットし、画像データが記録されているメモリカードをメモリカードコネクタ１００８に挿入し、操作部２００２により用紙印刷を指定する。すると、用紙１００４が本体１０００に引き込まれ、用紙／ＣＤ−Ｒ印刷部２００３のインクを吐出して画像を形成する記録ヘッドや、記録ヘッドを移動させるモーターなどの印刷機構（不図示）により、用紙１００４に対して印刷が行われる。印刷完了後用紙１００３が排紙トレー１００５から排出される。
【００２０】
ＣＤ−Ｒ１００９に対する印刷を行う場合には、ＣＤ−Ｒ記録トレー１００７にＣＤ−Ｒ１００９をセットし、同様に画像の入ったメモリカードを挿入して、操作部２００２によりＣＤ−Ｒ印刷を指示をすることで印刷を実行する。
【００２１】
更に、本装置ではメモリカード内の画像データを、ＣＤ−Ｒ１００９に記録することも可能である。その場合には、ＣＤ−Ｒ１００９をＣＤ−Ｒ記録トレー１００６にセットし、画像が記録されているメモリカードを挿入し、操作部２００２により記録する画像を選択する。これにより、ＣＤ−Ｒデータ記録部２００４が具備するＣＤ−Ｒのデータ記録溝をからデータを読み出す光学センサーや、ＣＤ−Ｒを回転させるモーターなどから構成されるデータ記録機構（不図示）によりデータの記録が実行される。
【００２２】
図１(a)は、ＣＤ−Ｒ記録トレー１００６にＣＤ−Ｒ１００９をセットした状態を示しており、この状態でＣＤ−Ｒ記録トレー１００６を本体に押し込むことで、ＣＤ−Ｒ１００９が本体１０００に引き込まれデータ記録が可能な状態になる。そして、ＣＤ−Ｒに対するデータ記録が完了すると、再びＣＤ−Ｒ記録トレー１００６が本体より排出され（図１(a)の状態）、データ記録が完了したＣＤ−Ｒを取り出すことが可能になる。
【００２３】
一方、図１(b)は、ＣＤ−Ｒ印刷トレー１００６にＣＤ−Ｒ１００９をセットした状態を示している。この状態でＣＤ−Ｒ印刷トレー１００６を本体に押し込むことで、ＣＤ−Ｒ１００９が本体の印刷機構（不図示）にセットされ印刷が実行される。そして同様に、ＣＤ−Ｒに対する印刷が完了すると、再びＣＤ−Ｒ記録トレー１００７が本体より排出され（図１(b)の状態）、印刷が完了したＣＤ−Ｒを取り出すことが可能になる。
【００２４】
図４、図５は、本実施例において本発明の特徴を示す“画像データ記録＆インデックス印刷モード”の動作を示すフローチャートである。また図３はその際の液晶モニタ１００２での画面表示例を示している。以下に図４、図５および図３に沿って、本特許の特徴である“画像データ記録＆インデックス印刷モード”の動作詳細を説明していく。
【００２５】
まず、本印刷装置を操作パネル部の電源ボタン（不図示）を押して起動すると、液晶モニター１００２に図３(a)に示すメニュー画面が表示される。
【００２６】
図３(a)中、３０００はメニュ画面全体、３００１から３００４は、本印刷装置で実行可能な動作モードを示すモードアイコンあり、操作パネル１００１の左右キー（不図示）でカーソルを移動させ、決定キー（不図示）で各モードに移行できる。また３００５は現在選択カーソルあたっているモードの説明を表示する説明表示である。
【００２７】
モードアイコンのうち、３００１はメモリカードコネクタ１００８に挿入したメモリカード内の画像またはＣＤ−Ｒ記録トレー１００７にセットしたＣＤ−Ｒ１００９内の画像を、液晶モニタ１００２に表示して閲覧する“画像閲覧モード”。３００２はメモリカード内の画像またはＣＤ−内の画像を操作パネル１００１でユーザに選択させ、選択した画像を給紙トレー１００３にセットした用紙またはＣＤ−Ｒ印刷トレーにセットしたＣＤ−Ｒに印刷する“画像印刷モード”を示している。３００３はメモリカード内の画像を操作パネル１００１でユーザに選択させ、ＣＤ−Ｒ記録トレーにセットしたＣＤ−Ｒにそのデータを記録する、“画像データ記録モード”を示している。３００４は印刷装置の各種設定をユーザに行わせる、“メンテナンスモード”をそれぞれ示している。
【００２８】
４つのモードの内、“画像データ記録モード”では、更に“ＣＤーＲ記録モード”と、“ＣＤ−Ｒ記録＆インデックス印刷モード”の二つの子モードを選択可能である（画面不図示）。
【００２９】
“ＣＤーＲ記録モード”は選択した画像の記録のみをするモードであり、“ＣＤ−Ｒ記録＆インデックス印刷モード”は、選択した画像の記録に加え、記録した画像のインデックスをＣＤ−Ｒに印刷する。
【００３０】
本発明の特徴は、“ＣＤ−Ｒ記録＆インデックス印刷モード”での動作である。よって、以下にこのモードでの本印刷装置の動作についてその詳細を説明する。これ以外のモードについてはその詳細な動作は説明しない。
【００３１】
図４、図５は“ＣＤ−Ｒ記録＆インデックス印刷モード”の動作フローを示すフローチャートであり、図６から図９はＣＤ−Ｒ記録トレーにセットしたＣＤ−Ｒにどのようにインデックス印刷が行われていくかを示した図である。以後、図４から図９に沿って、“保存＆インデックス印刷モード”の動作を説明していく。
【００３２】
まず、メニュー画面（図３(a)）で、“画像印刷モード”のアイコン３００３を選択して決定キーを押し、さらに次の画面（不図示）で、“ＣＤ−Ｒ記録＆インデックス印刷モード”を選択すると、“ＣＤ−Ｒ記録＆インデックス印刷モード”に移行する。以下、その後の動作を示す。
【００３３】
まず、ＣＤ−Ｒに保存する画像が記録されているメモリカードをメモリカードコネクタ１００８に挿入することを促す、“メモリカード挿入指示画面”を液晶画面１００２に表示する（４００１）。
【００３４】
これに応じて、ユーザがメモリカードを挿入すると（４００２）、続いてＣＤ−Ｒ記録トレー１００７にＣＤ−Ｒをセットさせることを促す“ＣＤーＲ挿入指示画面”を表示する（４００３）。この際、ＣＤ−Ｒは何もデータが記述されていないものでも良いし、いくつかの画像データが記述されているものでもかまわない。
【００３５】
ＣＤ−Ｒが挿入されると（４００２）、挿入されているＣＤ−Ｒの種類を検出してＣＤ−Ｒの全データ容量（Ａ）を決定し、更にＣＤ−Ｒのデータを読み出し、ＣＤ−Ｒに記録されているデータの総量である記録済みデータ量（Ｂ）を算出して保持する（４００５）。そして、ＣＤ−Ｒに記録する画像をユーザに選択させる“ＣＤ−Ｒ記録画像選択画面”（４００６）を表示する。
【００３６】
図３(b)は“ＣＤ−Ｒ記録画像選択画面”の表示例を示すものである。図３(b)の３００６はＣＤ−Ｒ記録画像選択画面全体、３００７はメモリカードに記録されている画像の内容を表示する画像表示領域を示す。３００９は表示画像の画像番号とメモリカードに記録されている全画像数、３００８は表示画像がユーザに選択されているかを示すチェックボックスを示している。ユーザはこの画面において左右キー（不図示）でメモリカードに記録されている画像から任意のものを表示させ、ＣＤ−Ｒに保存したい画像を表示している状態で、決定キー（不図示）を押すことで、チェックボックス３００８に選択済の記号（Ｖ）が表示される。これを繰り返してＣＤ−Ｒに保存したい画像をすべて選択したところで、データ記録キー（不図示）を押すことで（４００７）、チェックボックスに記号（Ｖ）が表示された画像群を、ＣＤ−Ｒに記録する画像としてその画像番号を保持しておく。
【００３７】
ここで選択画像の合計数(SelPic)と、選択画像合計データ量（Ｃ）を算出し、それを保持しておく（４００８）。その際、選択画像合計データ量（Ｃ）が前記ＣＤ−Ｒの全データ容量（Ａ）から記録済みデータ量（Ｂ）を引いた値よりも大きな場合（Ａ−Ｂ  ≧  Ｃ）には、再度記録画像選択画面４００６を表示して、画像選択をやり直しさせる。そうでない場合には、前記選択画像データ群のデータをメモリカードから読み出し、ＣＤ−Ｒ記録トレー１００７にセットしてあるＣＤ−Ｒに順じ記録していく（４０１１）。
【００３８】
ＣＤ−Ｒへの画像記録が終了（４０１２）すると、インデックス印刷領域の先頭を示す先頭印刷領域番号（IndexStart）と、最後を示す最終印刷領域番号（IndexEnd）と、インデックス印刷数（IndexNum）を算出する。これらの値は、前記選択画像合計データ量（Ｃ）と、前記ＣＤ−Ｒの全データ容量（Ａ）と、インデックス印刷領域数（Totalndex）値から算出される（４０１４）。
【００３９】
ここで、インデックス領域とは、ＣＤ−Ｒにインデックス画像を印刷する領域のことである。図６（詳細は以下）は、ＣＤ−Ｒ印刷トレー１００７に、ＣＤ−Ｒ１００９をセットした状態を示す図であり、この図の破線の四角で表現されている領域群５００２が、インデックス印刷領域を示している。本実施例では図に示す様にインデック印刷領域数（TotalIndex）は４６の場合を示しており、1番から４６番までの画像領域番号（不図示）が順に割り振られており、この領域１つに対して１つのインデックス画像が印刷されていく。また、各印刷領域に対して座標情報が印刷装置に記録されており、この座標情報をもとにインデックス印刷する位置を決めて印刷が行われていく。
【００４０】
本実施例では、インデック印刷領域数（TotalIndex）は４６に固定した場合を示しているが、初めてＣＤ−Ｒにインデックス印刷をする際に、ユーザにインデックス領域数（TotalIndex）を選択させる機能を有する構成であってもよい。
【００４１】
先頭印刷領域番号（IndexTop）は、インデックス画像を印刷する際の、先頭の印刷領域番号を示し、最終印刷領域番号（IndexEnd）は最後のインデックス画像印刷位置を示している。また、インデックス印刷数（IndexNum）は印刷されるインデックス画像数を示している。先頭印刷領域番号（IndexTop）、最終印刷領域番号（IndexEnd）、インデックス印刷数（IndexNum）の具体的な算出方法は以下である。
【００４２】
前記記録済みデータ量（Ｂ）を前記ＣＤ−Ｒの全データ容量（Ａ）で割った数に、インデック印刷領域数（TotalIndex）を掛ける。更にそれに1足して小数点以下切り捨てした値を先頭印刷領域番号（IndexTop）として算出する。（IndexTop=   (B÷A) ×IndexTotal + 1   ※少数点以下切り捨て）
前記記録済みデータ量（Ｂ）に前記選択画像合計データ量（Ｃ）を加え、それを前記ＣＤ−Ｒの全データ容量（Ａ）で割る。更にそれに前記インデック印刷領域数（TotalIndex）を掛けて小数点以下切り捨てした値を、最終印刷領域番号（IndexEnd）として算出する。（IndexEnd=   ( (Ｂ＋Ｃ)÷Ａ) ×IndexTotal   ※少数点以下切り捨て）
前記インデック印刷領域数（IndexEnd）が最終印刷領域番号（IndexEnd）より小さい場合には、インデックス印刷数(IndexNum)はゼロ(IndexNum=0)とする。
【００４３】
IndexEndがIndexTop以上の場合には、最終印刷領域番号（IndexEnd）から、先頭印刷領域番号（IndexTop）を引いて１足した値をインデックス印刷数(IndexNum)として算出する。（IndexNum= IndexEnd - IndexTop + 1）
次にインデックス印刷数(IndexNum)分の代表画像を、前記選択画像から選出し（４０１４）、その番号を保持しておく。代表画像の選択方法にはさまざまな方法が考えられるが、本実施例ではランダムに画像を選出することとする。
【００４４】
続いて、ＣＤ−Ｒを本体から排出し（図１(a)の状態）、ユーザにＣＤ−ＲをＣＤ−Ｒ印刷トレイ１００９にセットするように促す“ＣＤ−Ｒ印刷トレイ挿入指示画面”を表示する（４０１５）。
【００４５】
ＣＤ−ＲがＣＤ−Ｒ印刷トレイ１００９セットされると、続いて“ＣＤ−Ｒへのインデックス印刷中画面”（４０１７）を表示し、前記代表画像のデータを、メモリカードがら順じ読み出しそのインデックス印刷画像データを作成する。（４０１８）
そして、作成した各インデックス画像を、前記算出した先頭印刷領域番号（IndexTop）から前記最終印刷領域番号（IndexEnd）までの印刷領域に印刷を行っていく（４０１９）。印刷が完了した時点でＣＤ−Ｒを本体から排出し（図１(b)の状態）、処理を終了する。
【００４６】
図６から図９は、ＣＤ−Ｒ印刷トレー１００７にセットしたＣＤ−Ｒ１００９にインデック印刷が順に行われていく様子を示す図である。
【００４７】
図６は、データが記録されていないＣＤ−ＲをＣＤ−Ｒ印刷トレー１００７にセットした状態を示す図であり、点線５００２で示す印刷領域にはなにも印刷されていない状態を示す。
【００４８】
また、図中の５００２はＣＤ−Ｒ印刷トレー１００７に描かれているトレー側位置合わせマーカである。このマーカは、一度インデックス印刷を行ったＣＤ−Ｒを再度セットしてインデックスの追加印刷を行う際に、ＣＤ−Ｒの位置を前回と同じ位置にセットするためのものである。
【００４９】
本印刷装置では、ＣＤ−Ｒに初めてインデックス印刷を行う場合（データがなにも保存されていないＣＤ−Ｒに対してインデックス印刷を行う場合）に、ＣＤ−Ｒ側位置合わせマーカ５００４をＣＤ−Ｒの外周付近に印刷する。これは、前記トレー側位置合わせマーカ５００２と位置を合わせる為のものである。これを印刷することで、すでにインデックス印刷が行われているＣＤ−Ｒをセットする場合に、トレー側位置合わせマーカ５００２と、ＣＤ−Ｒ側位置合わせマーカ５００４を合わせてセットする。これにより常に同じ位置にＣＤ−Ｒをセットすることが可能になる。
【００５０】
たとえば、ＣＤ−Ｒの全データ容量（Ａ）が４６０Ｍバイトであり、１２０Ｍバイトの画像データを記録した場合は図７の１番から１２番目の印刷用域（網掛け部５００４）の印刷が行われる。更に前記ＣＤ−Ｒ側位置合わせマーカ５００４が印刷される。
【００５１】
次に、このＣＤ−Ｒに新たに１３０Ｍバイトの画像データを追加記録した場合の印刷状態を示したのが図８である。
【００５２】
この場合、追加印刷されるインデックス印刷領域の先頭番号（IndexStart）は１３番、最終番号（IndexEnd）は２５番、インデックス印刷数(IndexNum)は１３となる。
【００５３】
インデックス印刷は、図８でしめす１３番から２５番目の印刷領域（斜線部５００５）の領域が印刷されることになり、すでに印刷されているインデックス画像を重ならずに印刷が行える。
【００５４】
更に、２１０Ｍバイトの画像データを追加記録し、これ以上データが記録できない状態にした場合を示すのが図９である。この際、追加印刷されるインデックス印刷領域の先頭番号（IndexStart）は２６番、最終番号（IndexEnd）は６４番、インデックス印刷数(IndexNum)は２１となる。この場合インデックス印刷は、図９でしめす２６番から４６番目の印刷領域（塗り潰し部５００６）の領域が印刷されることになり、全ての印刷領域にインデックス画像が印刷された状態になる。
【００５５】
このようにインデックス印刷を行う領域を計算することで、すでに印刷されているインデックス画像と重なってインデックス印刷を印刷することなく、ＣＤ−Ｒに記録した容量に比例したインデックス印刷を行うことが可能になる。
【図面の簡単な説明】
【００５６】
【図１】印刷装置外形図
【図２】印刷装置の機能ブロック図
【図３】印刷装置操作部の液晶画面表示例
【図４】印刷装置における“CD-R記録＆インデックス印刷モード”の動作フロー１
【図５】印刷装置における“CD-R記録＆インデックス印刷モード”の動作フロー２
【図６】“CD-R記録＆インデックス印刷モード”でのインデックス印刷状態図１
【図７】“CD-R記録＆インデックス印刷モード”でのインデックス印刷状態図２
【図８】“CD-R記録＆インデックス印刷モード”でのインデックス印刷状態図３
【図９】“CD-R記録＆インデックス印刷モード”でのインデックス印刷状態図４
【符号の説明】
【００５７】
１０００  印刷装置
１００９  データ記録メディア
３０００  液晶画面
【図１】
2009113211.tif 000003
【図２】
2009113211.tif 000004
【図３】
2009113211.tif 000005
【図４】
2009113211.tif 000006
【図５】
2009113211.tif 000007
【図６】
2009113211.tif 000008
【図７】
2009113211.tif 000009
【図８】
2009113211.tif 000010
【図９】
2009113211.tif 000011